(57)【要約】      （修正有）【課題】汚染した空気がマスク内に侵入することを抑制できるエアポンプ付マスク、及びエアポンプ付設用マスクを提供する。【解決手段】本発明のエアポンプ付マスクは、少なくとも鼻と口とを覆うマスク本体１と、携帯可能な小型のエアポンプ２と、エアポンプ２からマスク本体１内部に空気を流送するエアチューブ３と、エアポンプ２の吸込み口に吸引される空気を濾過するポンプ側ＨＥＰＡフィルタ４とを備え、マスク本体１が通気性であることを特徴とする。また、本発明の携帯式エアポンプ付設用マスクは、少なくとも鼻と口とを覆うマスク本体１と、携帯可能な小型のエアポンプ２０２を収納する箱状、又は袋状のＨＥＰＡフィルタを備えたケース２０６と、エアポンプ２０２からマスク本体１内部に空気を流送するエアチューブ３とを備える。【選択図】図１
2016202309.tif 000002
【特許請求の範囲】
【請求項１】
少なくとも鼻と口とを覆うマスク本体と、
携帯可能な小型のエアポンプと、
前記エアポンプから前記マスク本体内部に空気を流送するエアチューブと、
前記エアポンプの吸込み口に吸引される空気を濾過するポンプ側ＨＥＰＡフィルタと
を備え、
前記マスク本体が通気性を有することを特徴とする携帯式エアポンプ付マスク。
【請求項２】
前記マスク本体の少なくとも口や鼻を覆う部分にマスク側ＨＥＰＡフィルタが設けられている請求項１に記載の携帯式エアポンプ付マスク。
【請求項３】
前記マスク本体に連結される前記エアチューブの下流側端部から前記マスク本体内部に延出する曲がるストローを有する請求項１又は請求項２に記載の携帯式エアポンプ付マスク。
【請求項４】
前記曲がるストローの出口側端部がマスク着用者の鼻腔と上唇の間に配設可能に構成されている請求項３に記載の携帯式エアポンプ付マスク。
【請求項５】
前記エアポンプ全体を覆う箱状、又は袋状の収納ケースを備え、
前記ポンプ側ＨＥＰＡフィルタは、前記収納ケースの一部または全部を構成するよう設けられている請求項１から請求項４のいずれか１項に記載の携帯式エアポンプ付マスク。
【請求項６】
前記エアポンプは、電池、又はシガーソケットから電源を得る２電源方式である請求項１から請求項５に記載の携帯式エアポンプ付マスク。
【請求項７】
前記エアポンプはＪＩＳＣ０９２０に規格された保護等級４の生活防滴設計がなされている請求項１から請求項６のいずれか１項に記載の携帯式エアポンプ付マスク。
【請求項８】
携帯可能な小型のエアポンプを付設可能な携帯式エアポンプ付設用マスクであって、
少なくとも鼻と口とを覆うマスク本体と、
携帯可能な小型のエアポンプを収納する箱状、又は袋状のポンプ側ＨＥＰＡフィルタを備えた収納ケースと、
前記エアポンプから前記マスク本体内部に空気を流送するエアチューブと
を備える携帯式エアポンプ付設用マスク。
【発明の詳細な説明】
【技術分野】
【０００１】
本発明は、空気中の汚染物質であるＰ．Ｍ２．５やウイルス、細菌、スギ花粉、火災時の酸素欠乏等から身体を防御するためのマスクに関し、より詳細には、鼻と口を覆うマスク内に、エアポンプから新鮮かつ清浄な空気を供給するよう構成したエアポンプ付マスク及びエアポンプを取り付けることのできるエアポンプ付設用マスクに関する。
【背景技術】
【０００２】
近年、広く蔓延する杉花粉症に加え、毎冬のようにインフルエンザが猛威を振るい、中国からは黄砂やＰＭ２．５が飛来する。また火災などの酸素欠乏災害に思いがけなく遭遇することから、従来にも増してこれらの有害物質に対する防御能力の高いマスクが望まれている。
【０００３】
そこで、本発明者は、より高性能なマスクを開発すべく鋭意検討を重ねた結果、水槽内に酸素や二酸化炭素を補給するようなエアポンプによりマスク内部に清浄空気を供給することに想到する。
【０００４】
そして、このような構成を有するマスクの先行技術について調査を行ったところ、特許文献１や特許文献２に主に粉塵やウイルス等の多い作業場で使用するためにマスク本体内部に清浄空気を供給するよう構成したマスクが提案されていることを知見する。
【０００５】
特許文献１、及び特許文献２のマスクは、いずれもマスク本体内部に連続的に清浄空気を供給してマスク本体内部を常時正圧にすることで、マスクの周縁と顔の間から空気とともにマスク本体内部へ流入する粉塵等を防止するものである。
【先行技術文献】
【特許文献】
【０００６】
【特許文献１】特開２００５−８７４２９号公報
【特許文献２】公開実用昭和５６−１５０５５８号公報
【発明の概要】
【発明が解決しようとする課題】
【０００７】
しかし、特許文献１のマスクは、マスク本体が非通気性素材により構成されているため吸気の全てを清浄空気送気装置により賄う必要が有る。特許文献１の例では、吸気の３倍程度の空気をマスク内に供給するとしており、送気装置が大型になるという問題が有る。
【０００８】
また、特許文献２のマスクでは、送気装置を小型化したためにマスク内への送気能力が小さく、使用者が吸気する際に、口の前に設けられた排気口から外気を吸い込んでしまう虞が有る。
【０００９】
本発明は上記課題に鑑みてなされたものであり、エアポンプを携帯可能な程度に小型化しても、外気がマスク内に侵入することを十分に抑制できるエアポンプ付マスクの提供を目的とする。
【課題を解決するための手段】
【００１０】
上記課題を解決するためになされた発明は、少なくとも鼻と口とを覆うマスク本体と、
携帯可能な小型のエアポンプと、前記エアポンプから前記マスク本体内部に空気を流送するエアチューブと、前記エアポンプの吸込み口に吸引される空気を濾過するポンプ側ＨＥＰＡフィルタとを備え、前記マスク本体が通気性を有することを特徴とする携帯式エアポンプ付マスクである。
【００１１】
このように、エアポンプに取り込む空気を濾過するポンプ側ＨＥＰＡフィルタを設けることで、エアポンプからマスク本体内に清浄な空気を供給することができる。
また、マスク本体を通気性とすることで、エアポンプから供給される空気だけでなく、マスク本体を通しても空気を取り入れることができるため、エアポンプの負担を小さくして、エアポンプを小型にすることができる。
【００１２】
本発明の携帯式エアポンプ付マスクは、前記マスク本体の少なくとも口や鼻を覆う部分にマスク側ＨＥＰＡフィルタが設けられていることが好ましい。
このように、エアポンプだけでなくマスク本体にもＨＥＰＡフィルタを設けることで、マスク本体内部の空気をより清浄に保つことができる。
【００１３】
本発明に係る携帯式エアポンプ付マスクは、前記マスク本体に連結される前記エアチューブの下流側端部から前記マスク本体内部に延出する曲がるストローを有することが好ましい。このように、エアチューブからマスク本体内部に空気を導入するストローを曲がるようにすることで、例えば、詰まっていない鼻腔の方へストローの出口を向けるなど、ストローの出口を使用者の好みの方向に向けることができる。
【００１４】
前記曲がるストローの出口側端部は、マスク着用者の鼻腔と上唇の間に配設可能に構成されていることが好ましい。こうすることで、鼻と口の周辺をより清浄な空気で満たすことができる。
【００１５】
本発明の携帯式エアポンプ付マスクは、前記エアポンプ全体を覆う箱状、又は袋状の収納ケースを備え、前記ポンプ側ＨＥＰＡフィルタは、前記収納ケースの一部または全部を構成するよう設けてもよい。
こうすることで、エアポンプが吸い込む空気から、より確実に汚染物質を除去できるとともにＨＥＰＡフィルタを備えない市販の携帯式エアポンプを当該収納ケースに収納して利用することができる。
【００１６】
前記エアポンプは、電池、又はシガーソケットから電源を得る２電源方式であることが好ましい。こうすることで、車での長時間移動時にはシガーソケットを使用し、徒歩による移動時には電池を使用することができる。
【００１７】
前記エアポンプは、ＪＩＳＣ０９２０に規格された保護等級４の生活防滴設計がなされていることが好ましい。こうすることで、雨の日や水辺で過ごす際にも当該携帯式エアポンプ付マスクを使用することができる。
【００１８】
本発明は、携帯可能な小型のエアポンプを付設可能であって、少なくとも鼻と口とを覆うマスク本体と、携帯可能な小型のエアポンプを収納する箱状、又は袋状のポンプ側ＨＥＰＡフィルタを備えた収納ケースと、前記エアポンプから前記マスク本体内部に空気を流送するエアチューブとを備える携帯式エアポンプ付設用マスクを含む。
【発明の効果】
【００１９】
以上説明したように、本発明の携帯式エアポンプ付マスク、及び携帯式エアポンプ付設用マスクによれば、エアポンプを携帯可能な程度に小型化しても、外気がマスク内に侵入することを十分に抑制できる。
【図面の簡単な説明】
【００２０】
【図１】本発明の第１実施形態及び第２実施形態に係る携帯式エアポンプ付マスクの使用方法を示す斜視図である。
【図２】図１のマスク本体を示す（ａ）正面図（ｂ）背面図である。
【図３】図１の携帯式エアポンプ付マスクのマスク本体を側面視で、エアポンプを斜視図で示した全体図である。
【図４】本発明の第２実施形態に係る携帯式エアポンプ付マスクのマスク本体を側面視で、エアポンプを斜視図で示した全体図である。
【発明を実施するための形態】
【００２１】
以下、適宜図面を用いながら本発明の実施形態について詳述する。ただし、本発明は、以下の実施形態に限定されるものではない。
【００２２】
（第１実施形態）
図３は、本発明の第１実施形態に係る携帯式エアポンプ付マスク１００を示している。携帯式エアポンプ付マスク１００は、鼻と口とを覆うマスク本体１と、携帯可能な小型のエアポンプ２と、エアポンプ２からマスク本体１内部に空気を流送するエアチューブ３と、エアポンプ１が吸い込む空気を濾過するＨＥＰＡフィルタ４と、エアポンプを収納する箱型の収納ケース６（図１、図３に２点鎖線で示す）とを備えている。
【００２３】
マスク本体１は、図２、図３に示すように、カップ型をなし、ポリプロピレンやポリエステル、紙等からなる１又は複数の不織布の周縁を熱又は超音波で融着して形成される。不織布にＨＥＰＡフィルタ（ＨＥＰＡ規格の不織布）を含むようにすることもできる。
例えば、３層に重ねた３枚の不織布によりマスク本体１を形成し、そのうちいずかを不織布からなるＨＥＡＰフィルタとすることができる。
また、図２，３に示すように、口と鼻の部分のみを覆うように、ＨＥＰＡフィルタ１ａを設けるようにしてもよい。この場合、ＨＥＰＡフィルタ以外の周縁部分を非通気性の素材により形成することもできる。
尚、ＨＥＰＡフィルタとは、ＪＩＳＺ ８１２２ 規定の定格風量で粒径が０．３μｍの粒子に対して９９．９７％以上の粒子捕集率をもち、かつ初期圧力損失が２４５Ｐａ以下の性能を持つフィルタをいう。
【００２４】
マスク本体１の下部には、エアチューブ３の下流側端部を連結する貫通孔１２が設けられている。エアチューブ３は、軟質樹脂製からなり、下流側端部には曲がるストロー５が着脱自在に連結されている。曲がるストロー５は、マスク本体１の貫通孔１２に挿通されたのち、マスク本体１の内部において３〜５ｃｍ上方へ延出し出口側端部が使用者の鼻と上唇の間に位置するよう設けられる。曲がるストロー５は、マスク本体１と一体的に接着剤等で固着してもよいし、マスク本体１から着脱自在としてもよい。本実施例では、曲がるストロー５として、蛇腹５ａが施されたいわゆるフレックスストローを用いている。
【００２５】
マスク本体１の両端部には、伸縮性を有する１本のタイバンド１１の両端部がホッチキスや縫製により固定されている。また、マスク本体１の上部には、アルミニウム製のノースブリッジ１３が設けられている。
【００２６】
エアポンプ２は、硬質樹脂製の直方体のケース２１の内部に不図示の送風機を有している。エアポンプ２は、２電源方式に構成され、２個の単１乾電池を電源とすることもできるし、シガーソケットを電源とすることもできる。シガーソケットから電源を取る場合はケース２１前面のプラグ２２に、シガーソケット用のアダプターを連結する。
ケース２１の上面には、ゴム製円筒状部材が突設され、その側面に空気を吸い込む吸込み口２４が設けられ、吸込み口２４の内部には、吸い込んだ空気を濾過するＨＥＰＡフィルタ４が設けられている。また、ケース２の上面には、円筒状の吐出口２５と電源スイッチ２６が設けられている。
エアポンプ２は、吸い込み口２４が設けられたゴム製円筒状部材と吐出口２５とを内部の送風機に水密に連結し、電源スイッチ２６周縁の隙間をゴム材で密封し、プラグ２２をゴム製カバー２２ａで密封し、ケース２１後壁からなる蓋をゴムパッキンにより水密に閉塞して、ＪＩＳＣ０９２０に規格された保護等級４の生活防滴設計がなされている。
また、エアポンプ２は、携帯可能とするために全体の重さが３００ｇから４００ｇに設けられている。
【００２７】
収納ケース６は、硬質樹脂製の蓋６１及びケース本体６２からなり、蓋６１を外してケース本体６２にエアポンプ２を収納する。収納ケース６は、エアチューブ３を気密に挿通する透孔６３を備えている。収納ケース６の蓋６１には、ＨＥＰＡフィルタ６４ａを設けた空気取り入れ口６４とアダプターのコードを気密に通すための透孔６５を備えている。蓋６１とケース本体６２は、パッキンにより気密に封止される。また、収納ケース６の裏面側には、使用者のベルト等に掛止するための図外のフックが設けられている。
【００２８】
次に、上記のような構成を有する携帯式エアポンプ付マスク１００の使用方法と効果について説明する。携帯式エアポンプ付マスク１００を使用する際には、まず、フックをベルト等に掛止させて、エアポンプ２の収納された収納ケース６をベルトに吊り下げ、タイバンド１１を後頭部に係止してマスク本体１を鼻と口に被せる。このとき、曲がるストロー５の出口をマスク本体内の好みの方向に向ける。この際、曲がるストロー５は鼻と上唇の間に出口を配置できるので、鼻と口の周辺をより清浄な空気で満たすことができる。
【００２９】
エアポンプ２の電源スイッチ２６をＯＮにすると、収納ケース６の空気取り込み口６４から収納ケース６内に空気が取り込まれる。空気取り込み口６４から取り込まれる空気中の汚染物質は、ＨＡＰＡフィルタ６４ａにより除去される。そして、収納ケース６の内部に取り込まれた空気は、エアポンプ２の吸込み口２４の内部からエアポンプ２の送風機に吸い込まれる。吸込み口２４に吸い込まれた空気は、さらにＨＥＰＡフィルタ４によっても濾過される。
送風機に吸い込まれた空気は、吐出口２５からエアチューブ３を介してマスク本体１内部に流送される。この際、マスク本体１は通気性を有するため、使用者はエアポンプ２から供給される空気だけでなく、マスク本体１を通しても吸気を補うことができる。このため、エアポンプ２が小型の携帯式であっても十分にマスク本体１の周縁とマスク本体１の間から汚れた空気が流入することを抑制できる。そして、マスク本体１は、少なくとも鼻と口の周りを覆うようにＨＥＰＡフィルタ１ａが設けられているので、マスク本体１の内部の空気をより清浄に保つことができる。
マスク本体１や曲がるストロー５が汚れた際には、エアチューブ３から曲がるストロー５を外してマスク本体１や曲がるストローを交換する。マスク本体１と曲がるチューブ５を接着剤等で固着して、これらを一体的に交換するようにしてもよいし、マスク本体１と曲がるストロー５を着脱自在に構成して、それぞれ単体で交換するようにしてもよい。
【００３０】
（第２実施形態）
図４は、本発明の第２実施形態に係る携帯式エアポンプ付設用マスク２００を示している。携帯式エアポンプ付設用マスク２００は、マスク本体１と、エアチューブ３と、収納ケース２０６とを備えている。
尚、第２実施形態では、エアポンプ２０２と、収納ケース２０６以外の構成については第１実施形態と共通するため説明を省略する。
【００３１】
収納ケース２０６は、第１実施形態のエアポンプ２よりも小型のエアポンプ２０２を収納する。エアポンプ２０２は、釣り用の生餌等を入れるバッカン等の水にエアを供給するための市販のエアポンプであり、図１に示すように、洋服の胸ポケットに収まる大きさに設けられ、単３乾電池２個のみで作動する１電源方式である。収納ケース２０６は、ＨＥＰＡ規格の不織布から融着により巾着袋状に形成され、開口部２０６ａからエアチューブ３を延出させるようにして内部にエアポンプ２０２を収納する。開口部２０６ａは、紐２０６ｂやゴムバンド等で密封するよう構成されている。エアポンプ付設用マスク２００では、収納ケース２０６のＨＥＰＡフィルタにより外部の空気を濾過してエアポンプ２０２内に吸込む。このように、ＨＥＰＡフィルタを有する収納ケース２０６の内部にエアポンプ２０２を収納するようにしたので、市販のエアポンプを改造することなく利用することができる。
【００３２】
本発明は、上記の実施形態に限らず、例えば、マスク本体は不織布に限らず、ガーゼや脱脂綿、ナイロン、スポンジ等、公知の材料を適宜に用いることができ、マスク側ＨＥＰＡフィルタや曲がるストローは省略してもよい。タイバンドは後頭部に係止するものに限らず、耳に掛止するタイプを用いることもできる。乾電池のかわりに、充電池を用いてもよい。ポンプ側ＨＡＰＡフィルタとして、エアポンプ内部のＨＥＰＡフィルタと収納ケースのＨＥＰＡフィルタの両方を備えるようにしてもよいし、いずれか一方を省略してもよい。
【符号の説明】
【００３３】
１００  携帯式エアポンプ付マスク
１  マスク本体
１ａ  マスク側ＨＥＰＡフィルタ
２  エアポンプ
３  エアチューブ
４、６４ａ  ポンプ側ＨＥＰＡフィルタ
５  曲がるストロー
５ａ  出口側端部
６  収納ケース
２００  携帯式エアポンプ付設用マスク
２０２  エアポンプ
２０６  収納ケース（ポンプ側ＨＥＰＡフィルタ）
【図１】
2016202309.tif 000003
【図２】
2016202309.tif 000004
【図３】
2016202309.tif 000005
【図４】
2016202309.tif 000006